(57)【要約】【課題】複数のコンテンツをより高い訴求力を持って再生させる。【解決手段】関係性を持った複数のコンテンツを記憶するコンテンツメモリ20と、コンテンツメモリ20で記憶するコンテンツを再生する再生系21〜25，30，31と、人の存在を検出する人感センサPEと、人の存在が検出されない時間を計時し、人の存在が検出された時点で計時値に基づいてコンテンツメモリ20からコンテンツを選択して読出して再生させるＣＰＵ26とを備える。【選択図】図１
2017011370.tif 000002
【特許請求の範囲】
【請求項１】
コンテンツを再生する再生手段と、
人の存在を検出する検出手段と、
上記検出手段で人の存在が検出されない時間を計時する計時手段と、
上記検出手段で人の存在が検出された時点で、上記計時手段の計時値に基づいて上記再生手段でコンテンツを再生させる制御手段と、
を備えることを特徴とする情報処理装置。
【請求項２】
関係性を持った複数のコンテンツを記憶する記憶手段をさらに備え、
上記再生手段は、上記記憶手段で記憶するコンテンツを再生し、
上記制御手段は、上記検出手段で人の存在が検出された時点で、上記計時手段の計時値に基づいて上記記憶手段からコンテンツを選択して読出し、上記再生手段で再生させる
ことを特徴とする請求項１記載の情報処理装置。
【請求項３】
上記制御手段は、上記計時手段の計時値を予め設定した閾値と比較し、その比較結果に基づいて上記再生手段で再生させることを特徴とする請求項１または２記載の情報処理装置。
【請求項４】
上記記憶手段は、階層構造を有する複数のコンテンツを記憶し、
上記制御手段は、上記検出手段で人の存在が検出された時点で、上記計時手段の計時値に基づいて、直前に再生していたコンテンツに対してより上位層のコンテンツを上記記憶手段から選択して読出し、上記再生手段で再生させる
ことを特徴とする請求項２記載の情報処理装置。
【請求項５】
上記記憶手段は、連続構造を有する複数のコンテンツを記憶し、
上記制御手段は、上記検出手段で人の存在が検出された時点で、上記計時手段の計時値に基づいて、直前に再生していたコンテンツに対してより前位置のコンテンツを上記記憶手段から選択して読出し、上記再生手段で再生させる
ことを特徴とする請求項２記載の情報処理装置。
【請求項６】
コンテンツを再生する再生部を備える装置での情報処理方法であって、
人の存在を検出する検出工程と、
上記検出工程で人の存在が検出されない時間を計時する計時工程と、
上記検出工程で人の存在が検出された時点で、上記計時工程の計時値に基づいて上記再生部でコンテンツを再生させる制御工程と、
を有することを特徴とする情報処理方法。
【請求項７】
コンテンツを再生する再生部を備える装置が内蔵するコンピュータが実行するプログラムであって、上記コンピュータを、
人の存在を検出する検出手段、
上記検出手段で人の存在が検出されない時間を計時する計時手段、及び
上記検出手段で人の存在が検出された時点で、上記計時手段の計時値に基づいて上記再生部でコンテンツを再生させる制御手段、
として機能させることを特徴とするプログラム。
【発明の詳細な説明】
【技術分野】
【０００１】
本発明は、情報処理装置、情報処理方法及びプログラムに関する。
【背景技術】
【０００２】
閲覧者に対する印象を高めるべく、コンテンツの輪郭の形状に形成されたスクリーンに映像コンテンツを投影するようにした映像出力装置が提案されている。（例えば、特許文献１）
【先行技術文献】
【特許文献】
【０００３】
【特許文献１】特開２０１１−１５０２２１号公報
【発明の概要】
【発明が解決しようとする課題】
【０００４】
上記特許文献に記載された技術では、人感センサの出力によって映像コンテンツの投影のオン／オフを制御する旨の記載があるだけで、人感センサの出力を、閲覧者に対する印象を高めるために用いる具体的な提案は記載されていない。
【０００５】
本発明は上記のような実情に鑑みてなされたもので、その目的とするところは、複数のコンテンツをより高い訴求力を持って再生させることが可能な情報処理装置、情報処理方法及びプログラムを提供することにある。
【課題を解決するための手段】
【０００６】
本発明の一態様は、コンテンツを再生する再生手段と、人の存在を検出する検出手段と、上記検出手段で人の存在が検出されない時間を計時する計時手段と、上記検出手段で人の存在が検出された時点で、上記計時手段の計時値に基づいて上記再生手段でコンテンツを再生させる制御手段と、を備えることを特徴とする。
【発明の効果】
【０００７】
本発明によれば、複数のコンテンツをより高い訴求力を持って再生させることが可能となる。
【図面の簡単な説明】
【０００８】
【図１】本発明の一実施形態に係るサイネージ装置の機能回路の構成を示すブロック図。
【図２】同実施形態に係るコンテンツメモリに記憶された複数のコンテンツの関係性を示す図。
【図３】同実施形態に係るプログラムメモリに記憶された再開制御テーブルの内容を例示する図。
【図４】同実施形態に係る電源投入後の動画コンテンツの再生順序制御の処理内容を示すフローチャート。
【図５】同実施形態に係る離脱時間Ｔｈに応じた動画コンテンツの再開動作例を示す図。
【発明を実施するための形態】
【０００９】
以下、本発明を店舗で使用される、プロジェクタ技術を用いた電子マネキンであるサイネージ装置に適用した場合の一実施形態について、図面を参照して説明する。  
図１は、同実施形態に係るサイネージ装置１０の主として電子回路の機能構成を説明するブロック図である。
【００１０】
コンテンツメモリ２０は、関係性を持った複数のコンテンツデータと、サイネージ装置１０の前に人が存在しない場合（人離脱時用）のコンテンツデータとを記憶している。コンテンツメモリ２０が記憶するコンテンツデータは、サイネージ装置１０の前に人が存在しない場合のコンテンツデータを除いて、音データを付帯した動画コンテンツから構成される。  
図２は、このコンテンツメモリ２０に記憶される複数、例えば８個の動画コンテンツ「動画Ａ」〜「動画Ｈ」の関係性を示す図である。ここでは動画コンテンツ「動画Ａ」〜「動画Ｈ」が、階層構造を持つものとする。ここでは３層の構造を持ち、最上位層である第１層に「動画Ａ」が位置する。この動画コンテンツ「動画Ａ」の直下層である第２層に、動画コンテンツ「動画Ｂ」「動画Ｆ」が並列して位置する。
【００１１】
さらに、動画コンテンツ「動画Ｂ」の直下層である第３層に、３つの連続した「動画Ｃ」〜「動画Ｅ」が位置する。
【００１２】
同様に、動画コンテンツ「動画Ｆ」の直下層である第３層に、２つの連続した「動画Ｇ」「動画Ｈ」が位置する。
【００１３】
例えば「動画Ａ」がある商品の統括的な宣伝用動画であり、当該商品の２つの特徴的な機能を「動画Ｂ」及び「動画Ｆ」で説明するものとする。
【００１４】
さらに「動画Ｂ」で説明する機能のより詳細な説明を「動画Ｃ」〜「動画Ｅ」で行なう一方、「動画Ｆ」で説明する機能のより詳細な説明を「動画Ｇ」〜「動画Ｈ」で行なうものとする。
【００１５】
コンテンツメモリ２０に記憶される各動画コンテンツは、そのヘッダ部分に上記階層構造に応じた情報を格納することで、相互の関係性を把握することが可能となる。
【００１６】
コンテンツメモリ２０から選択的に読出された動画コンテンツは、バスＢを介して投影画像駆動部２１に送られる。
【００１７】
上記投影画像駆動部２１は、送られてきた画像データに応じて、所定のフォーマットに従ったフレームレート、例えば１２０［フレーム／秒］と色成分の分割数、及び表示階調数を乗算した、より高速な時分割駆動により、表示素子であるマイクロミラー素子２２を表示駆動する。
【００１８】
このマイクロミラー素子２２は、アレイ状に配列された複数個、例えばＷＸＧＡ（横１２８０画素×縦７６８画素）分の微小ミラーの各傾斜角度を個々に高速でオン／オフ動作して表示動作することで、その反射光により光像を形成する。
【００１９】
一方で、光源部２３から時分割でＲ，Ｇ，Ｂの原色光が循環的に出射される。光源部２３は、半導体発光素子であるＬＥＤを有し、Ｒ，Ｇ，Ｂの原色光を時分割で繰返し出射する。
【００２０】
光源部２３が有するＬＥＤは、広義でのＬＥＤとして、ＬＤ（半導体レーザ）や有機ＥＬ素子を含むものとしても良い。この光源部２３からの原色光が、ミラー２４で反射して上記マイクロミラー素子２２に照射される。
【００２１】
そして、マイクロミラー素子２２での反射光で光像が形成され、形成された光像が投影レンズ部２５を介して、このサイネージ装置１０が備える図示しないスクリーンボードに投射される。
【００２２】
このサイネージ装置１０は、上記スクリーンボードで光像を投影する装置筐体の前面側に向けた人感センサＰＥを備える。この人感センサＰＥは、例えば焦電センサで構成され、サイネージ装置１０前方の人の存在を検出するもので、その検出信号が上記バスＢを介して下記ＣＰＵ２６に送られる。
【００２３】
上記各回路の動作すべてをＣＰＵ２６が制御する。このＣＰＵ２６は、メインメモリ２７及びプログラムメモリ２８と直接接続される。メインメモリ２７は、例えばＳＲＡＭで構成され、ＣＰＵ２６のワークメモリとして機能する。プログラムメモリ２８は、電気的書換可能な不揮発性メモリ、例えばフラッシュＲＯＭで構成され、ＣＰＵ２６が実行する動作プログラムや後述する再開制御テーブルを含む各種定型データ等を記憶する。
【００２４】
ＣＰＵ２６は、上記プログラムメモリ２８に記憶されている動作プログラムや定型データ等を読出し、メインメモリ２７に展開して記憶させた上で当該プログラムを実行することにより、このサイネージ装置１０を統括して制御する。
【００２５】
図３は、プログラムメモリ２８に記憶された再開制御テーブルの内容を例示するものである。同図では、サイネージ装置１０の前方で表示が存在しなかった時間値に応じて、次に人が存在すると検出された時点で再開する動画コンテンツの内容を定義する再開制御情報を示している。ここでは閾値を「１［分］」「５［分］」「１５［分］」の３つとして、「１［分］未満」「１［分］以上５［分］未満」「５［分］以上１５［分］未満」「１５［分］以上」の４段階に分けて、再開時に選択する動画コンテンツを定義するための再開制御情報、例えば「１５［分］以上」に対応する「最上階層の動画」など、を取得可能とする。
【００２６】
さらに上記ＣＰＵ２６は、操作部２９からの操作信号に応じて各種投影動作を実行する。この操作部２９は、サイネージ装置１０の本体に備える、電源キーを含むいくつかの操作キーのキー操作信号、またはスクリーンボードの一部に仮想的に投影する操作ボタンへの操作を検出する赤外線センサアレイからの検出信号を受付け、受付けた操作に応じた信号を上記ＣＰＵ２６へ送出する。
【００２７】
上記ＣＰＵ２６はさらに、上記バスＢを介して音処理部３０、無線ＬＡＮインタフェース（Ｉ／Ｆ）３２と接続される。  
音処理部３０は、ＰＣＭ音源等の音源回路を備え、投影動作時に上記コンテンツメモリ２０から読出される動画コンテンツに付帯された音データをアナログ化し、スピーカ部３１を駆動して放音させ、あるいは必要によりビープ音等を発生させる。
【００２８】
無線ＬＡＮインタフェース３２は、無線ＬＡＮアンテナ３３を介して図示しない最寄りの無線ＬＡＮルータと接続し、データの送受を行なうもので、図示しないコンテンツ配信サーバからコンテンツメモリ２０に記憶させるコンテンツデータの配信を受ける。
【００２９】
次に上記実施形態の動作について説明する。  
なおこのサイネージ装置１０において、ＣＰＵ２６がプログラムメモリ２８から読出し、メインメモリ２７に展開した上で実行する動作プログラムや定型データ等は、サイネージ装置１０が製品として工場から出荷された当時に予めプログラムメモリ２８に記憶されていたもののみならず、サイネージ装置１０が店舗等に設置された時点でも、外部のネットワークを介して適宜バージョンアップ等の処理により更新記憶された内容を含む。
【００３０】
図４は、サイネージ装置１０の操作部２９で電源キーにより電源が投入されてからＣＰＵ２６が実行する、動画コンテンツの再生順序制御の処理内容を示すフローチャートである。
【００３１】
電源投入当初、ＣＰＵ２６はコンテンツメモリ２０に記憶される階層構造が最上位の動画コンテンツ「動画Ａ」を読出して投影画像駆動部２１にセットし（ステップＳ１０１）、同投影画像駆動部２１、マイクロミラー素子２２、光源部２３を用いて投影レンズ部２５により画像を投影させるとともに、同動画コンテンツに付帯された音データを音処理部３０に送出してスピーカ部３１より拡声出力させる再生処理を実行する（ステップＳ１０２）。
【００３２】
同時にＣＰＵ２６は、人感センサＰＥの検出信号を取得し（ステップＳ１０３）、その信号の値を予め設定された閾値と比較することにより、サイネージ装置１０の前方近傍に人が存在するか否かを判断する（ステップＳ１０４）。
【００３３】
ここでサイネージ装置１０の前方近傍に人がいると判断した場合（ステップＳ１０４のＹｅｓ）、ＣＰＵ２６は上記ステップＳ１０２からの処理に戻る。
【００３４】
こうしてサイネージ装置１０の前方近傍に人が存在する限り、ＣＰＵ２６はステップＳ１０２〜Ｓ１０４の処理を繰返し実行し、動画コンテンツを再生し続ける。
【００３５】
前記図２で説明した動画コンテンツの例では、ＣＰＵ２６が「動画Ａ」「動画Ｂ」「動画Ｃ」〜「動画Ｅ」「動画Ｆ」「動画Ｇ」「動画Ｈ」の順序で再生を実行し、末尾の「動画Ｈ」の再生が終了した時点で先頭の「動画Ａ」の再生に戻る、という循環的な再生手順を採る。
【００３６】
また上記ステップＳ１０４において、サイネージ装置１０の前方近傍に人がいないと判断した場合（ステップＳ１０４のＮｏ）、ＣＰＵ２６はその時点まで再生していた動画コンテンツの識別情報をメインメモリ２７に保持すると共に、コンテンツメモリ２０から人離脱時用の動画コンテンツを読出して投影画像駆動部２１にセットし（ステップＳ１０５）、併せて、人がいない状態を計時するためのメインメモリ２７内部に設定したタイマの動作を開始させる（ステップＳ１０６）。
【００３７】
ＣＰＵ２６は、投影画像駆動部２１にセットした人離脱用の動画コンテンツにより同投影画像駆動部２１、マイクロミラー素子２２、光源部２３を用いて投影レンズ部２５により画像を投影させる（ステップＳ１０７）。
【００３８】
この人離脱時用の動画コンテンツは、上述した如く音データを付帯していないため、音処理部３０及びスピーカ部３１による拡声出力は行なわず、無音のミュート動作となる。
【００３９】
さらにＣＰＵ２６は、人感センサＰＥの検出信号を取得し（ステップＳ１０８）、その信号の値を予め設定された閾値と比較することにより、サイネージ装置１０の前方近傍に人が依然として存在しないかどうかを判断する（ステップＳ１０９）。
【００４０】
ここでサイネージ装置１０の前方近傍に人はいないと判断した場合（ステップＳ１０９のＹｅｓ）、ＣＰＵ２６は上記メインメモリ２７内部のタイムの計時値を更新設定した上で（ステップＳ１１０）、上記ステップＳ１０７からの処理に戻る。
【００４１】
こうしてサイネージ装置１０の前方近傍に人が存在しない限り、ＣＰＵ２６はステップＳ１０７〜Ｓ１１０の処理を繰返し実行し、人離脱時用の動画コンテンツを再生し続ける。
【００４２】
そして上記ステップＳ１０９において、再度サイネージ装置１０の前方近傍に人がいると判断した場合（ステップＳ１０９のＮｏ）、ＣＰＵ２６はその時点の上記タイマでの計時値Ｔｈを取得する（ステップＳ１１１）。ＣＰＵ２６は、この取得したタイマの計時値Ｔｈに基づいて上記図３で示したテーブルを参照して、次に再生する動画コンテンツの階層を示す再開制御情報を取得する（ステップＳ１１２）。
【００４３】
そしてＣＰＵ２６は、最後に上記ステップＳ１０４でサイネージ装置１０の前方近傍に人が存在しないと判断した離脱検出時に再生していた動画コンテンツの識別情報と、上記図２に示した各動画コンテンツの階層構造、及び上記ステップＳ１１２で取得した再開制御情報に基づいて、次に再生を再開する動画コンテンツを決定する（ステップＳ１１３）。
【００４４】
ＣＰＵ２６は、こうして決定した動画コンテンツをコンテンツメモリ２０から読出して投影画像駆動部２１にセットした上で（ステップＳ１１４）、上記ステップＳ１０２からの処理に戻り、セットした動画コンテンツの再生を再開する。
【００４５】
図５は、タイマが計時する、人がいなかった離脱時間Ｔｈに応じた動画コンテンツの再開動作例を示す。  
図５（Ａ）は、「動画Ｄ」を再生途中でサイネージ装置１０の前方近傍から人がいなくなり、その３０［秒］後に再び人が検出された、離脱時間Ｔｈ＝３０［秒］の場合の再開動作例を示す。
【００４６】
ここでは離脱時間Ｔｈ＝３０［秒］であり、「１［分］未満」であるため、上記図３で示したテーブルから再開制御情報「同一動画」を取得することで、再び同じ動画コンテンツ「動画Ｄ」の先頭から再生を再開するものとする。
【００４７】
図５（Ｂ）は、「動画Ｄ」を再生途中でサイネージ装置１０の前方近傍から人がいなくなり、その３［分］後に再び人が検出された、離脱時間Ｔｈ＝３［分］の場合の再開動作例を示す。
【００４８】
ここでは離脱時間Ｔｈ＝３［分］であり、「１［分］以上５［分］未満」であるため、上記図３で示したテーブルから再開制御情報「同階層の先頭動画」を取得することで、「動画Ｄ」と同一階層の「動画Ｃ」〜「動画Ｅ」中の先頭に位置する動画コンテンツ「動画Ｃ」の先頭から再生を再開するものとする。
【００４９】
図５（Ｃ）は、「動画Ｄ」を再生途中でサイネージ装置１０の前方近傍から人がいなくなり、その１０［分］後に再び人が検出された、離脱時間Ｔｈ＝１０［分］の場合の再開動作例を示す。
【００５０】
ここでは離脱時間Ｔｈ＝１０［分］であり、「５［分］以上１５［分］未満」であるため、上記図３で示したテーブルから再開制御情報「１階層上の先頭動画」を取得することで、「動画Ｄ」の１つ上の階層の「動Ｂ」の先頭から再生を再開するものとする。
【００５１】
また図５では示さないが、例えば「動画Ｄ」を再生途中でサイネージ装置１０の前方近傍から人がいなくなり、その２０［分］後に再び人が検出された、離脱時間Ｔｈ＝２０［分］の場合には、「１５［分］以上」であるため、上記図３で示したテーブルから再開制御情報「最上階層の動画」を取得することで、「動画Ａ」の先頭から再生を再開することになる。
【００５２】
以上詳述した如く本実施形態によれば、サイネージ装置１０の前方近傍から人がいなくなった時間を計時し、その計時値に応じて再開時に再生させるコンテンツの内容を制御するものとしたので、関係性を有する複数のコンテンツをより高い訴求力を持って再生させることが可能となる。
【００５３】
なお上記実施形態では、人がいない状態を計時するタイマの計時値に対し、閾値を用いてその程度を複数段階に分けて判断するため、処理を簡易化してＣＰＵ２６の負担を軽減できる。
【００５４】
また上記実施形態では、コンテンツメモリ２０が記憶する複数のコンテンツデータが階層構造を有し、上記タイマの計時値が大きくなるのに伴って、より上位層のコンテンツデータを選択して再生を再開させる制御を行なうものとしたので、例えばある商品の全体と個々の機能それぞれの説明など、コンテンツデータを体系化して構築し易い。
【００５５】
加えて上記実施形態では、例えばコンテンツメモリ２０に記憶する動画のコンテンツデータ「動画Ｃ」〜「動画Ｅ」と「動画Ｇ」「動画Ｈ」などのように、同一層で連続性を持ったコンテンツデータを作成することで、ＣＰＵ２６が取扱うデータの容量をコンパクト化してＣＰＵ２６の負担を軽減できる。
【００５６】
なお上記実施形態は、プロジェクタ技術を用いたサイネージ装置に適用した場合について説明したが、本発明はこれに限ることなく、複数のコンテンツデータを選択的に読出して再生するような装置であれば、同様に適用可能であり、コンテンツデータの種類や再生方式等を限定するものではない。
【００５７】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００５８】
以下に、本願出願の当初の特許請求の範囲に記載された発明を付記する。  
［請求項１］  
コンテンツを再生する再生手段と、  
人の存在を検出する検出手段と、  
上記検出手段で人の存在が検出されない時間を計時する計時手段と、  
上記検出手段で人の存在が検出された時点で、上記計時手段の計時値に基づいて上記再生手段でコンテンツを再生させる制御手段と、  
を備えることを特徴とする情報処理装置。  
［請求項２］  
関係性を持った複数のコンテンツを記憶する記憶手段をさらに備え、  
上記再生手段は、上記記憶手段で記憶するコンテンツを再生し、  
上記制御手段は、上記検出手段で人の存在が検出された時点で、上記計時手段の計時値に基づいて上記記憶手段からコンテンツを選択して読出し、上記再生手段で再生させる  
ことを特徴とする請求項１記載の情報処理装置。  
［請求項３］  
上記制御手段は、上記計時手段の計時値を予め設定した閾値と比較し、その比較結果に基づいて上記再生手段で再生させることを特徴とする請求項１または２記載の情報処理装置。  
［請求項４］  
上記記憶手段は、階層構造を有する複数のコンテンツを記憶し、  
上記制御手段は、上記検出手段で人の存在が検出された時点で、上記計時手段の計時値に基づいて、直前に再生していたコンテンツに対してより上位層のコンテンツを上記記憶手段から選択して読出し、上記再生手段で再生させる  
ことを特徴とする請求項２記載の情報処理装置。  
［請求項５］  
上記記憶手段は、連続構造を有する複数のコンテンツを記憶し、  
上記制御手段は、上記検出手段で人の存在が検出された時点で、上記計時手段の計時値に基づいて、直前に再生していたコンテンツに対してより前位置のコンテンツを上記記憶手段から選択して読出し、上記再生手段で再生させる  
ことを特徴とする請求項２記載の情報処理装置。  
［請求項６］  
コンテンツを再生する再生部を備える装置での情報処理方法であって、  
人の存在を検出する検出工程と、  
上記検出工程で人の存在が検出されない時間を計時する計時工程と、  
上記検出工程で人の存在が検出された時点で、上記計時工程の計時値に基づいて上記再生部でコンテンツを再生させる制御工程と、  
を有することを特徴とする情報処理方法。  
［請求項７］  
コンテンツを再生する再生部を備える装置が内蔵するコンピュータが実行するプログラムであって、上記コンピュータを、  
人の存在を検出する検出手段、  
上記検出手段で人の存在が検出されない時間を計時する計時手段、及び  
上記検出手段で人の存在が検出された時点で、上記計時手段の計時値に基づいて上記再生部でコンテンツを再生させる制御手段、  
として機能させることを特徴とするプログラム。  
【符号の説明】
【００５９】
１０…サイネージ装置、
２０…コンテンツメモリ、
２１…投影画像駆動部、
２２…マイクロミラー素子、
２３…光源部、
２４…ミラー、
２５…投影レンズ部、
２６…ＣＰＵ、
２７…メインメモリ、
２８…プログラムメモリ、
２９…操作部、
３０…音処理部、
３１…スピーカ部、
３２…無線ＬＡＮインタフェース（Ｉ／Ｆ）、
３３…無線ＬＡＮアンテナ、
Ｂ…バス、
ＰＥ…人感センサ。
【図１】
2017011370.tif 000003
【図２】
2017011370.tif 000004
【図３】
2017011370.tif 000005
【図４】
2017011370.tif 000006
【図５】
2017011370.tif 000007